(57)【要約】  ユーザ機器（ＵＥ）がワイヤレス通信システムにおけるキャリアアグリゲーション用に構成される。ＵＥは、少なくとも１つのアップリンクチャネルのための少なくとも１つのダウンリンク制御チャネルからの送信電力制御コマンドを復号し、上記少なくとも１つのアップリンクチャネルは、いくつかのコンポーネントキャリアのうちの１つのコンポーネントキャリア中で送信されるべきである。ＵＥは、上記少なくとも１つのアップリンクチャネルのための指令送信電力を上記コンポーネントキャリアの構成された最大送信電力と比較し、上記コンポーネントキャリア中で上記少なくとも１つのアップリンクチャネルを送信する。【選択図】      図４
2013529030.tif 000002
【特許請求の範囲】
【請求項１】
複数のコンポーネントキャリアで構成されたユーザ機器（ＵＥ）における方法であって、
少なくとも１つのアップリンクチャネルのための少なくとも１つのダウンリンク制御チャネルからの送信電力制御コマンドを復号することと、ここで、前記少なくとも１つのアップリンクチャネルが、前記複数のコンポーネントキャリアのうちの１つのコンポーネントキャリア中で送信されるべきである、
前記少なくとも１つのアップリンクチャネルのための指令送信電力を前記コンポーネントキャリアの構成された最大送信電力と比較することと、
前記コンポーネントキャリア中で前記少なくとも１つのアップリンクチャネルを送信することと
を備える、方法。
【請求項２】
前記複数のコンポーネントキャリアが、１次コンポーネントキャリア（ＰＣＣ）と少なくとも１つの２次コンポーネントキャリア（ＳＣＣ）とを備える、請求項１に記載の方法。
【請求項３】
前記少なくとも１つのアップリンクチャネルの前記送信は、総指令送信電力が前記ＵＥの構成された最大送信電力を超えたとき、前記複数のコンポーネントキャリア間の送信優先度に基づく、請求項１に記載の方法。
【請求項４】
前記送信優先度がアップリンクチャネルタイプに基づき、物理アップリンク制御チャネル（ＰＵＣＣＨ）が第１の優先度を有し、アップリンク制御情報（ＵＣＩ）をもつ物理アップリンク共有データチャネル（ＰＵＳＣＨ）が第２の優先度を有し、ＵＣＩをもたないＰＵＳＣＨが第３の優先度を有する、請求項３に記載の方法。
【請求項５】
チャネル品質情報（ＣＱＩ）専用ＰＵＳＣＨ送信が、ＵＣＩをもつＰＵＳＣＨ送信と等しい優先度を有する、請求項４に記載の方法。
【請求項６】
前記ＵＥが、前記ＰＣＣ上で物理アップリンク制御チャネル（ＰＵＣＣＨ）を送信するように構成され、前記ＰＵＣＣＨの指令送信電力レベルが、前記ＵＥの最大電力レベルよりも小さく、前記方法が、前記ＵＥの前記最大電力レベルと前記ＰＵＣＣＨの前記指令送信電力レベルとの間の差に等しい総電力を前記複数のコンポーネントキャリア上でＰＵＳＣＨに割り振ることをさらに備える、請求項２に記載の方法。
【請求項７】
前記ＰＵＳＣＨに割り振られた前記電力が、前記複数のコンポーネントキャリア間で均一に分配される、請求項６に記載の方法。
【請求項８】
前記ＵＥが、前記ＰＣＣ上で物理アップリンク制御チャネル（ＰＵＣＣＨ）を送信するように構成され、前記ＵＥが、前記複数のコンポーネントキャリア上でアップリンク制御情報（ＵＣＩ）をもつ物理アップリンク共有データチャネル（ＰＵＳＣＨ）を送信するようにさらに構成され、前記ＰＵＣＣＨの指令送信電力レベル＋ＵＣＩをもつ前記ＰＵＳＣＨの指令電力レベルが、前記ＵＥの最大電力レベルよりも小さく、前記方法が、前記ＵＥの前記最大電力レベルと前記ＰＵＣＣＨの前記指令送信電力レベル＋ＵＣＩをもつ前記ＰＵＳＣＨの前記指令電力レベルとの間の差に等しい総電力を、前記複数のコンポーネントキャリア上でＵＣＩをもたないＰＵＳＣＨに割り振ることをさらに備える、請求項２に記載の方法。
【請求項９】
前記複数のコンポーネントキャリア上で前記ＰＵＳＣＨに割り振られた前記電力が、前記複数のコンポーネントキャリア間で均一に分配される、請求項８に記載の方法。
【請求項１０】
ＰＵＳＣＨの前記送信電力が前記コンポーネントキャリアの前記構成された最大送信電力に達したとき、前記コンポーネントキャリア上でＰＵＳＣＨの累積電力制御（ＡＰＣ）パラメータをフリーズすることをさらに備える、請求項１に記載の方法。
【請求項１１】
前記ＡＰＣパラメータがフリーズされたとき、前記コンポーネントキャリア上でサウンディング基準信号（ＳＲＳ）の電力レベルに電力オフセットを適用することをさらに備え、前記ＳＲＳ電力レベルが増加される、請求項１０に記載の方法。
【請求項１２】
前記ＳＲＳの前記電力オフセットが、ＳＲＳをもつコンポーネントキャリアの数とＰＵＳＣＨをもつコンポーネントキャリアの数との比に少なくとも部分的に基づいて適用される、請求項１１に記載の方法。
【請求項１３】
ＰＵＣＣＨの送信電力が前記ＰＣＣの構成された最大送信電力に達したとき、前記ＰＣＣ上でＰＵＣＣＨの累積電力制御（ＡＰＣ）パラメータをフリーズすることをさらに備える、請求項２に記載の方法。
【請求項１４】
ＵＣＩをもつ前記ＰＵＳＣＨが、アップリンクデータ送信のないＰＵＳＣＨを介したチャネルステータス情報（ＣＳＩ）フィードバックからなる、請求項４に記載の方法。
【請求項１５】
前記ＵＥが、サブフレーム中の同じアップリンクチャネルのための２つ以上のダウンリンク制御情報（ＤＣＩ）フォーマットからの電力制御コマンドを復号し、前記方法が、ＤＣＩフォーマット０からの前記コマンドをＤＣＩフォーマット３／３Ａからの前記コマンドよりも優先させることをさらに備える、請求項１に記載の方法。
【請求項１６】
前記ＵＥが、サブフレーム中の同じアップリンクチャネルのための２つ以上のダウンリンク制御情報（ＤＣＩ）フォーマットからの電力制御コマンドを復号し、前記方法が、前記電力制御コマンドを平均することと、前記平均によって前記サブフレーム中の前記アップリンクチャネルを調整することとをさらに備える、請求項１に記載の方法。
【請求項１７】
前記ＵＥが、サブフレーム中の同じアップリンクチャネルのための２つ以上のＤＣＩフォーマットからの電力制御コマンドを復号し、前記方法が、前記２つ以上のＤＣＩフォーマットからの電源投入コマンドと電源切断コマンドとを合計することと、前記合計によって前記サブフレーム中の前記アップリンクチャネルを調整することとをさらに備える、請求項１に記載の方法。
【請求項１８】
前記ＵＥが、２つ以上のＤＣＩフォーマットからの電力制御コマンドを復号し、前記方法が、前記ＰＣＣからのＤＣＩフォーマットからの電力制御コマンドをいかなるＳＣＣからのＤＣＩフォーマットからの電力制御コマンドよりも優先させることと、ＤＣＩフォーマット０からの前記コマンドをＤＣＩフォーマット３／３Ａからの前記コマンドよりも優先させることとをさらに備える、請求項２に記載の方法。
【請求項１９】
前記ＰＣＣから復号された電力制御コマンドを前記ＰＵＣＣＨに適用することと、代替使用のための前記ＳＣＣからの電力制御ビットを解釈することとをさらに備える、請求項２に記載の方法。
【請求項２０】
機械によって実行されたとき、
少なくとも１つのアップリンクチャネルのための少なくとも１つのダウンリンク制御チャネルからの送信電力制御コマンドを復号することと、ここで、前記少なくとも１つのアップリンクチャネルが、複数のコンポーネントキャリアのうちの１つのコンポーネントキャリア中で送信されるべきである、
前記少なくとも１つのアップリンクチャネルのための指令送信電力を前記コンポーネントキャリアの構成された最大送信電力と比較することと、
前記コンポーネントキャリア中で前記少なくとも１つのアップリンクチャネルを送信することと
を行うように前記機械を構成する、命令を有する非一時的機械可読媒体を備える、製造品。
【請求項２１】
前記複数のコンポーネントキャリアが、１次コンポーネントキャリア（ＰＣＣ）と少なくとも１つの２次コンポーネントキャリア（ＳＣＣ）とを備える、請求項２０に記載の製造品。
【請求項２２】
前記少なくとも１つのアップリンクチャネルの前記送信は、総指令送信電力が前記ＵＥの構成された最大送信電力を超えたとき、前記複数のコンポーネントキャリア間の送信優先度に基づく、請求項２０に記載の製造品。
【請求項２３】
前記送信優先度がアップリンクチャネルタイプに基づき、物理アップリンク制御チャネル（ＰＵＣＣＨ）が第１の優先度を有し、アップリンク制御情報（ＵＣＩ）をもつ物理アップリンク共有データチャネル（ＰＵＳＣＨ）が第２の優先度を有し、ＵＣＩをもたないＰＵＳＣＨが第３の優先度を有する、請求項２２に記載の製造品。
【請求項２４】
チャネル品質情報（ＣＱＩ）専用ＰＵＳＣＨ送信が、ＵＣＩをもつＰＵＳＣＨ送信と等しい優先度を有する、請求項２３に記載の製造品。
【請求項２５】
前記ＵＥが、前記ＰＣＣ上で物理アップリンク制御チャネル（ＰＵＣＣＨ）を送信するように構成され、前記ＰＵＣＣＨの指令送信電力レベルが、前記ＵＥの最大電力レベルよりも小さく、前記機械が、前記ＵＥの前記最大電力レベルと前記ＰＵＣＣＨの前記指令送信電力レベルとの間の差に等しい総電力を前記複数のコンポーネントキャリア上でＰＵＳＣＨに割り振るようにさらに構成された、請求項２２に記載の製造品。
【請求項２６】
前記ＵＥが、前記ＰＣＣ上で物理アップリンク制御チャネル（ＰＵＣＣＨ）を送信するように構成され、前記ＵＥが、前記複数のコンポーネントキャリア上でアップリンク制御情報（ＵＣＩ）をもつ物理アップリンク共有データチャネル（ＰＵＳＣＨ）を送信するようにさらに構成され、前記ＰＵＣＣＨの指令送信電力レベル＋ＵＣＩをもつ前記ＰＵＳＣＨの指令電力レベルが、前記ＵＥの最大電力レベルよりも小さく、前記機械が、前記ＵＥの前記最大電力レベルと前記ＰＵＣＣＨの前記指令送信電力レベル＋ＵＣＩをもつ前記ＰＵＳＣＨの前記指令電力レベルとの間の差に等しい総電力を、前記複数のコンポーネントキャリア上でＵＣＩをもたないＰＵＳＣＨに割り振るようにさらに構成された、請求項２２に記載の製造品。
【請求項２７】
前記機械は、ＰＵＳＣＨの前記送信電力が前記コンポーネントキャリアの前記構成された最大送信電力に達したとき、前記コンポーネントキャリア上でＰＵＳＣＨの累積電力制御（ＡＰＣ）パラメータをフリーズするようにさらに構成された、請求項２０に記載の製造品。
【請求項２８】
前記機械は、前記ＡＰＣパラメータがフリーズされたとき、前記コンポーネントキャリア上でサウンディング基準信号（ＳＲＳ）の電力レベルに電力オフセットを適用するようにさらに構成され、前記ＳＲＳ電力レベルが増加される、請求項２７に記載の製造品。
【請求項２９】
前記機械は、ＰＵＣＣＨの送信電力が前記ＰＣＣの構成された最大送信電力に達したとき、前記ＰＣＣ上でＰＵＣＣＨの累積電力制御（ＡＰＣ）パラメータをフリーズするようにさらに構成された、請求項２１に記載の製造品。
【請求項３０】
前記ＵＥが、サブフレーム中の同じアップリンクチャネルのための２つ以上のダウンリンク制御情報（ＤＣＩ）フォーマットからの電力制御コマンドを復号し、前記機械が、ＤＣＩフォーマット０からの前記コマンドをＤＣＩフォーマット３／３Ａからの前記コマンドよりも優先させるようにさらに構成された、請求項２０に記載の製造品。
【請求項３１】
前記ＵＥが、サブフレーム中の同じアップリンクチャネルのための２つ以上のダウンリンク制御情報（ＤＣＩ）フォーマットからの電力制御コマンドを復号し、前記機械が、前記電力制御コマンドを平均することと、前記平均によって前記サブフレーム中の前記アップリンクチャネルを調整することとを行うようにさらに構成された、請求項２０に記載の製造品。
【請求項３２】
前記ＵＥが、サブフレーム中の同じアップリンクチャネルのための２つ以上のＤＣＩフォーマットからの電力制御コマンドを復号し、前記機械が、前記２つ以上のＤＣＩフォーマットからの電源投入コマンドと電源切断コマンドとを合計することと、前記合計によって前記サブフレーム中の前記アップリンクチャネルを調整することとを行うようにさらに構成された、請求項２０に記載の製造品。
【請求項３３】
前記ＵＥが、２つ以上のＤＣＩフォーマットからの電力制御コマンドを復号し、前記機械が、前記ＰＣＣからのＤＣＩフォーマットからの電力制御コマンドをいかなるＳＣＣからのＤＣＩフォーマットからの電力制御コマンドよりも優先させることと、ＤＣＩフォーマット０からの前記コマンドをＤＣＩフォーマット３／３Ａからの前記コマンドよりも優先させることとを行うようにさらに構成された、請求項２１に記載の製造品。
【請求項３４】
装置であって、
プロセッサと、
前記プロセッサによって実行されたとき、
少なくとも１つのアップリンクチャネルのための少なくとも１つのダウンリンク制御チャネルからの送信電力制御コマンドを復号することと、ここで、前記少なくとも１つのアップリンクチャネルが、複数のコンポーネントキャリアのうちの１つのコンポーネントキャリア中で送信されるべきである、
前記少なくとも１つのアップリンクチャネルのための指令送信電力を前記コンポーネントキャリアの構成された最大送信電力と比較することと、
前記コンポーネントキャリア中で前記少なくとも１つのアップリンクチャネルを送信することと
を行うように前記装置を構成する、プロセッサ実行可能命令を備えるメモリと
を備える、装置。
【請求項３５】
前記複数のコンポーネントキャリアが、１次コンポーネントキャリア（ＰＣＣ）と少なくとも１つの２次コンポーネントキャリア（ＳＣＣ）とを備える、請求項３４に記載の装置。
【請求項３６】
前記少なくとも１つのアップリンクチャネルの前記送信は、総指令送信電力が前記ＵＥの構成された最大送信電力を超えたとき、前記複数のコンポーネントキャリア間の送信優先度に基づく、請求項３４に記載の装置。
【請求項３７】
前記送信優先度がアップリンクチャネルタイプに基づき、物理アップリンク制御チャネル（ＰＵＣＣＨ）が第１の優先度を有し、アップリンク制御情報（ＵＣＩ）をもつ物理アップリンク共有データチャネル（ＰＵＳＣＨ）が第２の優先度を有し、ＵＣＩをもたないＰＵＳＣＨが第３の優先度を有する、請求項３６に記載の装置。
【請求項３８】
チャネル品質情報（ＣＱＩ）専用ＰＵＳＣＨ送信が、ＵＣＩをもつＰＵＳＣＨ送信と等しい優先度を有する、請求項３７に記載の装置。
【請求項３９】
前記ＵＥが、前記ＰＣＣ上で物理アップリンク制御チャネル（ＰＵＣＣＨ）を送信するように構成され、前記ＰＵＣＣＨの指令送信電力レベルが、前記ＵＥの最大電力レベルよりも小さく、前記プロセッサが、前記ＵＥの前記最大電力レベルと前記ＰＵＣＣＨの前記指令送信電力レベルとの間の差に等しい総電力を前記複数のコンポーネントキャリア上でＰＵＳＣＨに割り振るようにさらに構成された、請求項３５に記載の装置。
【請求項４０】
前記ＵＥが、前記ＰＣＣ上で物理アップリンク制御チャネル（ＰＵＣＣＨ）を送信するように構成され、前記ＵＥが、前記複数のコンポーネントキャリア上でアップリンク制御情報（ＵＣＩ）をもつ物理アップリンク共有データチャネル（ＰＵＳＣＨ）を送信するようにさらに構成され、前記ＰＵＣＣＨの指令送信電力レベル＋ＵＣＩをもつ前記ＰＵＳＣＨの指令電力レベルが、前記ＵＥの最大電力レベルよりも小さく、前記プロセッサが、前記ＵＥの前記最大電力レベルと前記ＰＵＣＣＨの前記指令送信電力レベル＋ＵＣＩをもつ前記ＰＵＳＣＨの前記指令電力レベルとの間の差に等しい総電力を、前記複数のコンポーネントキャリア上でＵＣＩをもたないＰＵＳＣＨに割り振るようにさらに構成された、請求項３５に記載の装置。
【請求項４１】
前記プロセッサは、ＰＵＳＣＨの前記送信電力が前記コンポーネントキャリアの前記構成された最大送信電力に達したとき、前記コンポーネントキャリア上で前記ＰＵＳＣＨの累積電力制御（ＡＰＣ）パラメータをフリーズするようにさらに構成された、請求項３４に記載の装置。
【請求項４２】
前記プロセッサは、前記ＡＰＣパラメータがフリーズされたとき、前記コンポーネントキャリア上でサウンディング基準信号（ＳＲＳ）の電力レベルに電力オフセットを適用するようにさらに構成され、前記ＳＲＳ電力レベルが増加される、請求項４１に記載の装置。
【請求項４３】
前記プロセッサは、ＰＵＣＣＨの送信電力が前記ＰＣＣの構成された最大送信電力に達したとき、前記ＰＣＣ上でＰＵＣＣＨの累積電力制御（ＡＰＣ）パラメータをフリーズするようにさらに構成された、請求項３５に記載の装置。
【請求項４４】
前記ＵＥが、サブフレーム中の同じアップリンクチャネルのための２つ以上のダウンリンク制御情報（ＤＣＩ）フォーマットからの電力制御コマンドを復号し、前記プロセッサが、ＤＣＩフォーマット０からの前記コマンドをＤＣＩフォーマット３／３Ａからの前記コマンドよりも優先させるようにさらに構成された、請求項３４に記載の装置。
【請求項４５】
前記ＵＥが、サブフレーム中の同じアップリンクチャネルのための２つ以上のダウンリンク制御情報（ＤＣＩ）フォーマットからの電力制御コマンドを復号し、前記プロセッサが、前記電力制御コマンドを平均することと、前記平均によって前記サブフレーム中の前記アップリンクチャネルを調整することとを行うようにさらに構成された、請求項３４に記載の装置。
【請求項４６】
前記ＵＥが、サブフレーム中の同じアップリンクチャネルのための２つ以上のＤＣＩフォーマットからの電力制御コマンドを復号し、前記プロセッサが、前記２つ以上のＤＣＩフォーマットからの電源投入コマンドと電源切断コマンドとを合計することと、前記合計によって前記サブフレーム中の前記アップリンクチャネルを調整することとを行うようにさらに構成された、請求項３４に記載の装置。
【請求項４７】
前記ＵＥが、２つ以上のＤＣＩフォーマットからの電力制御コマンドを復号し、前記プロセッサが、前記ＰＣＣからのＤＣＩフォーマットからの電力制御コマンドをいかなるＳＣＣからのＤＣＩフォーマットからの電力制御コマンドよりも優先させることと、ＤＣＩフォーマット０からの前記コマンドをＤＣＩフォーマット３／３Ａからの前記コマンドよりも優先させることとを行うようにさらに構成された、請求項３５に記載の装置。
【請求項４８】
少なくとも１つのアップリンクチャネルのための少なくとも１つのダウンリンク制御チャネルからの送信電力制御コマンドを復号するための手段と、ここで、前記少なくとも１つのアップリンクチャネルが、複数のコンポーネントキャリアのうちの１つのコンポーネントキャリア中で送信されるべきである、
前記少なくとも１つのアップリンクチャネルのための指令送信電力を前記コンポーネントキャリアの構成された最大送信電力と比較するための手段と、
前記コンポーネントキャリア中で前記少なくとも１つのアップリンクチャネルを送信するための手段と
を備える、ユーザ機器（ＵＥ）として構成された装置。
【請求項４９】
前記複数のコンポーネントキャリアが、１次コンポーネントキャリア（ＰＣＣ）と少なくとも１つの２次コンポーネントキャリア（ＳＣＣ）とを備える、請求項４８に記載の装置。
【請求項５０】
前記少なくとも１つのアップリンクチャネルの前記送信は、総指令送信電力が前記ＵＥの構成された最大送信電力を超えたとき、前記複数のコンポーネントキャリア間の送信優先度に基づく、請求項４８に記載の装置。
【請求項５１】
前記送信優先度がアップリンクチャネルタイプに基づき、物理アップリンク制御チャネル（ＰＵＣＣＨ）が第１の優先度を有し、アップリンク制御情報（ＵＣＩ）をもつ物理アップリンク共有データチャネル（ＰＵＳＣＨ）が第２の優先度を有し、ＵＣＩをもたないＰＵＳＣＨが第３の優先度を有する、請求項５０に記載の装置。
【請求項５２】
チャネル品質情報（ＣＱＩ）専用ＰＵＳＣＨ送信が、ＵＣＩをもつＰＵＳＣＨ送信と等しい優先度を有する、請求項５１に記載の装置。
【請求項５３】
前記ＵＥが、前記ＰＣＣ上で物理アップリンク制御チャネル（ＰＵＣＣＨ）を送信するように構成され、前記ＰＵＣＣＨの指令送信電力レベルが、前記ＵＥの最大電力レベルよりも小さく、前記装置が、前記ＵＥの前記最大電力レベルと前記ＰＵＣＣＨの前記指令送信電力レベルとの間の差に等しい総電力を前記複数のコンポーネントキャリア上でＰＵＳＣＨに割り振るための手段をさらに備える、請求項４９に記載の装置。
【請求項５４】
前記ＵＥが、前記ＰＣＣ上で物理アップリンク制御チャネル（ＰＵＣＣＨ）を送信するように構成され、前記ＵＥが、前記複数のコンポーネントキャリア上でアップリンク制御情報（ＵＣＩ）をもつ物理アップリンク共有データチャネル（ＰＵＳＣＨ）を送信するようにさらに構成され、前記ＰＵＣＣＨの指令送信電力レベル＋ＵＣＩをもつ前記ＰＵＳＣＨの指令電力レベルが、前記ＵＥの最大電力レベルよりも小さく、前記装置が、前記ＵＥの前記最大電力レベルと前記ＰＵＣＣＨの前記指令送信電力レベル＋ＵＣＩをもつ前記ＰＵＳＣＨの前記指令電力レベルとの間の差に等しい総電力を、前記複数のコンポーネントキャリア上でＵＣＩをもたないＰＵＳＣＨに割り振るための手段をさらに備える、請求項４９に記載の装置。
【請求項５５】
ＰＵＳＣＨの前記送信電力が前記コンポーネントキャリアの前記構成された最大送信電力に達したとき、前記コンポーネントキャリア上でＰＵＳＣＨの累積電力制御（ＡＰＣ）パラメータをフリーズするための手段をさらに備える、請求項４８に記載の装置。
【請求項５６】
前記ＡＰＣパラメータがフリーズされたとき、前記コンポーネントキャリア上でサウンディング基準信号（ＳＲＳ）の電力レベルに電力オフセットを適用するための手段をさらに備え、前記ＳＲＳ電力レベルが増加される、請求項５５に記載の装置。
【請求項５７】
ＰＵＣＣＨの送信電力が前記ＰＣＣの構成された最大送信電力に達したとき、前記ＰＣＣ上でＰＵＣＣＨの累積電力制御（ＡＰＣ）パラメータをフリーズするための手段をさらに備える、請求項４９に記載の装置。
【請求項５８】
前記ＵＥが、サブフレーム中の同じアップリンクチャネルのための２つ以上のダウンリンク制御情報（ＤＣＩ）フォーマットからの電力制御コマンドを復号し、前記装置が、ＤＣＩフォーマット０からの前記コマンドをＤＣＩフォーマット３／３Ａからの前記コマンドよりも優先させるための手段をさらに備える、請求項４８に記載の装置。
【請求項５９】
前記ＵＥが、サブフレーム中の同じアップリンクチャネルのための２つ以上のダウンリンク制御情報（ＤＣＩ）フォーマットからの電力制御コマンドを復号し、前記装置が、前記電力制御コマンドを平均するための手段と、前記平均によって前記サブフレーム中の前記アップリンクチャネルを調整するための手段とをさらに備える、請求項４８に記載の装置。
【請求項６０】
前記ＵＥが、サブフレーム中の同じアップリンクチャネルのための２つ以上のＤＣＩフォーマットからの電力制御コマンドを復号し、前記装置が、前記２つ以上のＤＣＩフォーマットからの電源投入コマンドと電源切断コマンドとを合計するための手段と、前記合計によって前記サブフレーム中の前記アップリンクチャネルを調整するための手段とをさらに備える、請求項４８に記載の装置。
【請求項６１】
前記ＵＥが、２つ以上のＤＣＩフォーマットからの電力制御コマンドを復号し、前記装置が、前記ＰＣＣからのＤＣＩフォーマットからの電力制御コマンドをいかなるＳＣＣからのＤＣＩフォーマットからの電力制御コマンドよりも優先させるための手段と、ＤＣＩフォーマット０からの前記コマンドをＤＣＩフォーマット３／３Ａからの前記コマンドよりも優先させるための手段とをさらに備える、請求項４９に記載の装置。
【請求項６２】
少なくとも１つのアップリンクチャネルのための少なくとも１つのダウンリンク制御チャネル上で電力制御コマンドを送信することと、ここで、前記少なくとも１つのアップリンクチャネルが、複数のコンポーネントキャリアのうちの１つのコンポーネントキャリア中で受信されるべきであり、
前記少なくとも１つのアップリンクチャネルのための指令送信電力が、ユーザ機器によって前記コンポーネントキャリアの構成された最大送信電力と比較されるべきである、送信することと、
前記コンポーネントキャリア中で前記少なくとも１つのアップリンクチャネルを受信することと
を備える、サービングセルにおける方法。
【請求項６３】
機械によって実行されたとき、
少なくとも１つのアップリンクチャネルのための少なくとも１つのダウンリンク制御チャネル上で電力制御コマンドを送信することと、ここで、前記少なくとも１つのアップリンクチャネルが、複数のコンポーネントキャリアのうちの１つのコンポーネントキャリア中で受信されるべきであり、
前記少なくとも１つのアップリンクチャネルのための指令送信電力が、ユーザ機器によって前記コンポーネントキャリアの構成された最大送信電力と比較されるべきである、送信することと、
前記コンポーネントキャリア中で前記少なくとも１つのアップリンクチャネルを受信することと
を行うように前記機械を構成する、命令を有する非一時的機械可読媒体を備える、製造品。
【請求項６４】
装置であって、
プロセッサと、
前記プロセッサによって実行されたとき、
少なくとも１つのアップリンクチャネルのための少なくとも１つのダウンリンク制御チャネル上で電力制御コマンドを送信することと、ここで、前記少なくとも１つのアップリンクチャネルが、複数のコンポーネントキャリアのうちの１つのコンポーネントキャリア中で受信されるべきであり、
前記少なくとも１つのアップリンクチャネルのための指令送信電力が、ユーザ機器によって前記コンポーネントキャリアの構成された最大送信電力と比較されるべきである、送信することと、
前記コンポーネントキャリア中で前記少なくとも１つのアップリンクチャネルを受信することと
を行うように前記装置を構成する、プロセッサ実行可能命令を備えるメモリと
を備える、装置。
【請求項６５】
少なくとも１つのアップリンクチャネルのための少なくとも１つのダウンリンク制御チャネル上で電力制御コマンドを送信するための手段と、ここで、前記少なくとも１つのアップリンクチャネルが、複数のコンポーネントキャリアのうちの１つのコンポーネントキャリア中で受信されるべきであり、
前記少なくとも１つのアップリンクチャネルのための指令送信電力が、ユーザ機器によって前記コンポーネントキャリアの構成された最大送信電力と比較されるべきである、送信するための手段と、
前記コンポーネントキャリア中で前記少なくとも１つのアップリンクチャネルを受信するための手段と
を備える、サービングセルとして構成された装置。
【発明の詳細な説明】
【技術分野】
【０００１】
関連出願
米国特許法第１１９条に基づく優先権の主張
本特許出願は、本出願の譲受人に譲渡され、参照により本明細書に明確に組み込まれる、２０１０年５月７日に出願された「APPARATUS AND METHOD FOR PUSCH/SRS/PUCCH POWER CONTROL」と題する仮出願第６１／３３２，６１２号の優先権を主張する。
【０００２】
本発明は、一般にワイヤレス通信の分野に関し、詳細には、アグリゲートキャリアシステム（aggregated carrier systems）におけるアップリンク送信電力を制御するためのシステムおよび方法に関する。
【背景技術】
【０００３】
このセクションは、開示する実施形態の背景またはコンテキストを与えるものである。本明細書の説明には、追求され得る概念が含まれ得るが、必ずしも以前に想到または追求された概念ではない。したがって、本明細書に別段に規定されていない限り、このセクションで説明することは、本出願の明細書および特許請求の範囲に対する従来技術ではなく、このセクションに包含することによって従来技術であるとは認められない。
【０００４】
ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００５】
モバイル通信システムにおけるアップリンク送信機電力制御は、所望のサービス品質（たとえば、データレートおよび誤り率）を達成するためにビットごとに送信される十分なエネルギーの必要と、システムの他のユーザへの干渉を最小限に抑え、モバイル端末のバッテリー寿命を最大化する必要とのバランスをとる。この目的を達成するために、アップリンク電力制御は、経路損失と、シャドーイングと、高速フェージングと、同じセルおよび隣接セル中の他のユーザからの干渉とを含む、電波伝播チャネルの特性に適応しなければならない。
【０００６】
シングルキャリアシステムであるＬＴＥ  Ｒｅｌ８では、シングルキャリアの送信電力はＵＥの最大送信電力によって制限される。したがって、様々なアップリンクチャネルおよび信号（たとえば、ＰＵＣＣＨ、ＰＵＳＣＨおよびＳＲＳ）の間の電力の割振りは比較的簡単である。
【０００７】
より大きいスループットのためのより広い送信帯域幅をサポートするために、ＵＥごとに２つ以上のコンポーネントキャリア（ＣＣ）をアグリゲートするためのキャリアアグリゲーション（ＣＡ）がＬＴＥ  Ａｄｖａｎｃｅｄのために提案されている。しかしながら、ユーザ端末に関連する制限された送信電力を考慮する、複数のアップリンクコンポーネントキャリア上で電力を割り振り、制御するための機構は定義されていない。特に、それは、送信電力が制限され、電力コマンドが全体としてコンポーネントキャリアの最大送信電力またはＵＥの最大送信電力を超え得る場合、複数のコンポーネントキャリア上で、競合するＰＵＣＣＨ、ＰＵＳＣＨおよびＳＲＳ電力コマンドのための電力をどのように割り振るかに関する未解決の問題である。
【発明の概要】
【０００８】
開示する実施形態は、少なくとも１つのアップリンクチャネルのための少なくとも１つのダウンリンク制御チャネルからの送信電力制御コマンドを復号することであって、上記少なくとも１つのアップリンクチャネル（たとえば、データ／情報）が、複数のコンポーネントキャリアのうちの１つのコンポーネントキャリア中で送信されるべきである、復号することと、上記少なくとも１つのアップリンクチャネルのための指令送信電力（commanded transmit power）を上記コンポーネントキャリアの構成された最大送信電力と比較することと、上記比較に基づいて、上記コンポーネントキャリア中で上記少なくとも１つのアップリンクチャネルを送信することとを行うための方法、装置および製造品を含む。
【０００９】
他の開示する実施形態は、少なくとも１つのアップリンクチャネルのための少なくとも１つのダウンリンク制御チャネルからの電力制御コマンドを送信することであって、上記少なくとも１つのアップリンクチャネルが、複数のコンポーネントキャリアのうちの１つのコンポーネントキャリア中で受信されるべきであり、上記少なくとも１つのアップリンクチャネルのための指令送信電力が、ユーザ機器によって上記コンポーネントキャリアの構成された最大送信電力と比較され得る、送信することと、上記コンポーネントキャリア中で上記少なくとも１つのアップリンクチャネルを受信することとを行うための方法、装置および製造品を含む。
【００１０】
様々な実施形態のこれらおよび他の特徴は、その動作の構成および様式とともに、添付の図面とともに以下の発明を実施するための形態を読めば明らかになろう。図面全体にわたって、同様の部分を指すのに同様の参照符号を使用する。
【図面の簡単な説明】
【００１１】
【図１】ワイヤレス通信システムを示す図。
【図２】例示的なワイヤレス通信システムのブロック図。
【図３】例示的なキャリアアグリゲーションシステムを示すブロック図。
【図４】例示的な方法を示すフローチャート。
【図５】例示的なユーザ機器を示す機能ブロック図。
【図６】様々な実施形態を実装することが可能な例示的な装置。
【発明を実施するための形態】
【００１２】
以下の記述では、限定ではなく説明の目的で、様々な開示する実施形態の完全な理解を与えるために詳細および説明を記載する。ただし、様々な実施形態は、これらの詳細および説明から逸脱する他の実施形態において実施され得ることが当業者には明らかであろう。
【００１３】
本明細書で使用する「構成要素」、「モジュール」、「システム」などの用語は、たとえば、ハードウェア、ファームウェア、ハードウェアとソフトウェアとの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラムおよび／またはコンピュータであり得るが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、１つまたは複数のデータパケット（たとえば、ローカルシステム、分散システム内の別の構成要素と対話する、および／またはインターネットなどのネットワーク上で信号を介して他のシステムと対話する、１つの構成要素からのデータ）を有する信号によるなど、ローカルプロセスおよび／またはリモートプロセスを介して通信し得る。
【００１４】
さらに、本明細書では、いくつかの実施形態について、ユーザ機器に関して説明する。ユーザ機器は、ユーザ端末とも呼ばれ、システム、加入者ユニット、加入者局、移動局、モバイルワイヤレス端末、モバイルデバイス、ノード、デバイス、遠隔局、リモート端末、端末、ワイヤレス通信デバイス、ワイヤレス通信装置またはユーザエージェントの機能の一部または全部を含み得る。ユーザ機器は、セルラー電話、コードレス電話、セッション開始プロトコル（ＳＩＰ）電話、スマートフォン、タブレット、ネットブック、スマートブック、ワイヤレスローカルループ（ＷＬＬ）局、携帯情報端末（ＰＤＡ）、ラップトップ、ハンドヘルド通信デバイス、ハンドヘルドコンピューティングデバイス、衛星無線、ワイヤレスモデムカードおよび／またはワイヤレスシステムを介して通信するための別の処理デバイスであり得る。さらに、本明細書では基地局に関する様々な態様について説明する。基地局は、１つまたは複数のワイヤレス端末と通信するために利用され得、アクセスポイント、ノード、ノードＢ、発展型ノードＢ（ｅＮＢ）または何らかの他のネットワークエンティティと呼ばれることもあり、それらの機能の一部または全部を含み得る。基地局は、エアインターフェースを介してワイヤレス端末と通信する。通信は、１つまたは複数のセクタを通して行われ得る。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整することができ、また、ワイヤードネットワークとワイヤレスネットワークとの間のゲートウェイであり得る。
【００１５】
様々な態様、実施形態または特徴は、いくつかのデバイス、構成要素、モジュールなどを含み得るシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００１６】
さらに、「例示的」という単語は、本明細書では、例、事例または例示の働きをすることを意味するために使用する。「例示的」として本明細書で説明するいかなる実施形態または設計も、必ずしも他の実施形態または設計よりも好ましいまたは有利なものと解釈すべきではない。むしろ、例示的という単語の使用は、概念を具体的な方法で提示するものである。
【００１７】
様々な開示する実施形態は通信システムに組み込まれ得る。一例では、そのような通信システムは、全システム帯域幅を、周波数サブチャネル、トーンまたは周波数ビンと呼ばれることもある複数（ＮF）個のサブキャリアに効果的に区分する直交周波数分割多重（ＯＦＤＭ）を利用する。ＯＦＤＭシステムでは、まず、送信されるべきデータ（すなわち、情報ビット）を特定の符号化方式を用いて符号化して符号化ビットを生成し、符号化ビットをさらにマルチビットシンボルにグループ化し、次いで、これらのマルチビットシンボルを変調シンボルにマッピングする。各変調シンボルは、データ送信のために使用される特定の変調方式（たとえば、Ｍ−ＰＳＫまたはＭ−ＱＡＭ）によって定義された信号コンスタレーション中のポイントに対応する。各周波数サブキャリアの帯域幅に依存し得る各時間間隔において、変調シンボルは、ＮF個の周波数サブキャリアの各々上で送信され得る。したがって、システム帯域幅にわたって異なる減衰量によって特徴づけられる、周波数選択性フェージングによって引き起こされたシンボル間干渉（ＩＳＩ）をなくすために、ＯＦＤＭが使用され得る。
【００１８】
概して、ワイヤレス多元接続通信システムは、複数のワイヤレス端末のための通信を同時にサポートすることができる。各端末は、順方向および逆方向リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【００１９】
ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。ＭＩＭＯシステムは、複数の送信アンテナと受信アンテナとによって生成された追加の次元数が利用された場合、改善されたパフォーマンス（たとえば、より高いスループットおよび／またはより大きい信頼性）を与えることができる。ＭＩＭＯシステムはまた、時分割複信（ＴＤＤ）システムと周波数分割複信（ＦＤＤ）システムとをサポートする。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナが基地局で利用可能なとき、基地局は順方向リンク上で送信ビームフォーミング利得を取り出すことが可能になる。
【００２０】
図１に、様々な開示する実施形態が実装され得るワイヤレス通信システムを示す。基地局１００が、複数のアンテナグループを含み得、各アンテナグループは、１つまたは複数のアンテナを備え得る。たとえば、基地局１００が６つのアンテナを備える場合、あるアンテナグループが、第１のアンテナ１０４と第２のアンテナ１０６とを備え得、別のアンテナグループが、第３のアンテナ１０８と第４のアンテナ１１０とを備え得、第３のグループが、第５のアンテナ１１２と第６のアンテナ１１４とを備え得る。上記のアンテナグループの各々が２つのアンテナを有するとして特定されたが、各アンテナグループ中でより多いまたはより少ないアンテナが利用され得ることに留意されたい。
【００２１】
再び図１を参照すると、第１のユーザ機器１１６は、第１の順方向リンク１２０を介した第１のユーザ機器１１６への情報の送信と、第１の逆方向リンク１１８を介した第１のユーザ機器１１６からの情報の受信とを可能にするために、たとえば、第５のアンテナ１１２と第６のアンテナ１１４と通信するものとして示されている。また、図１に、第２の順方向リンク１２６を介した第２のユーザ機器１２２への情報の送信と第２の逆方向リンク１２４を介した第２のユーザ機器１２２からの情報の受信とを可能にするために、たとえば、第３のアンテナ１０８と第４のアンテナ１１０と通信する第２のユーザ機器１２２を示す。周波数分割複信（ＦＤＤ）システムでは、図１に示された通信リンク１１８、１２０、１２４、１２６は、通信のための異なる周波数を使用し得る。たとえば、第１の順方向リンク１２０は、第１の逆方向リンク１１８によって使用される周波数とは異なる周波数を使用し得る。
【００２２】
いくつかの実施形態では、アンテナの各グループ、および／またはアンテナが通信するように設計されたエリアは、しばしば、基地局のセクタと呼ばれる。たとえば、図１に示された異なるアンテナグループが、基地局１００のセクタ中のユーザ機器に通信するように設計され得る。順方向リンク１２０および１２６を介した通信では、基地局１００の送信アンテナは、異なるユーザ機器１１６および１２２に対して順方向リンクの信号対雑音比を改善するためにビームフォーミングを利用する。また、そのカバレージエリア全体にわたってランダムに散在するユーザ機器に送信するためにビームフォーミングを使用する基地局は、単一のアンテナを介してそのすべてのユーザ機器にオムニ指向的（omni-directionally）に送信する基地局よりも、近隣セル中のユーザ機器への干渉が小さくなる。
【００２３】
様々な開示する実施形態のいくつかに適応し得る通信ネットワークは、制御チャネルとトラフィックチャネルとに分類される論理チャネルを含み得る。論理制御チャネルは、システム制御情報をブロードキャストするためのダウンリンクチャネルであるブロードキャスト制御チャネル（ＢＣＣＨ：broadcast control channel）、ページング情報を転送するダウンリンクチャネルであるページング制御チャネル（ＰＣＣＨ：paging control channel）、１つまたは複数のマルチキャストトラフィックチャネル（ＭＴＣＨ：multicast traffic channel）のためのマルチメディアブロードキャストおよびマルチキャストサービス（ＭＢＭＳ：multimedia broadcast and multicast service）スケジューリングおよび制御情報を送信するために使用されるポイントツーマルチポイントダウンリンクチャネルであるマルチキャスト制御チャネル（ＭＣＣＨ：multicast control channel）を含み得る。概して、無線リソース制御（ＲＲＣ：radio resource control）接続を確立した後、ＭＣＣＨは、ＭＢＭＳを受信するユーザ機器によってのみ使用され得る。専用制御チャネル（ＤＣＣＨ：dedicated control channel）は、ＲＲＣ接続を有するユーザ機器によって使用されるユーザ固有の制御情報などの専用制御情報を送信するポイントツーポイント双方向チャネルである別の論理制御チャネルである。また、共通制御チャネル（ＣＣＣＨ：common control channel）は、ランダムアクセス情報のために使用され得る論理制御チャネルである。論理トラフィックチャネルは、ユーザ情報の転送のための１つのユーザ機器に専用のポイントツーポイント双方向チャネルである専用トラフィックチャネル（ＤＴＣＨ：dedicated traffic channel）を備え得る。また、マルチキャストトラフィックチャネル（ＭＴＣＨ）は、トラフィックデータのポイントツーマルチポイントダウンリンク送信のために使用され得る。
【００２４】
様々な実施形態のいくつかに適応する通信ネットワークは、さらに、ダウンリンク（ＤＬ：downlink）とアップリンク（ＵＬ：uplink）とに分類される論理トランスポートチャネルを含み得る。ＤＬトランスポートチャネルは、ブロードキャストチャネル（ＢＣＨ：broadcast channel）と、ダウンリンク共有データチャネル（ＤＬ−ＳＤＣＨ：downlink shared data channel）と、マルチキャストチャネル（ＭＣＨ：multicast channel）と、ページングチャネル（ＰＣＨ：Paging Channel）とを含み得る。ＵＬトランスポートチャネルは、ランダムアクセスチャネル（ＲＡＣＨ：random access channel）と、要求チャネル（ＲＥＱＣＨ：request channel）と、アップリンク共有データチャネル（ＵＬ−ＳＤＣＨ：uplink shared data channel）と、複数の物理チャネルとを含み得る。物理チャネルはまた、ダウンリンクチャネルとアップリンクチャネルとのセットを含み得る。
【００２５】
いくつかの開示する実施形態では、ダウンリンク物理チャネルは、共通パイロットチャネル（ＣＰＩＣＨ：common pilot channel）、同期チャネル（ＳＣＨ：synchronization channel）、共通制御チャネル（ＣＣＣＨ）、共有ダウンリンク制御チャネル（ＳＤＣＣＨ：shared downlink control channel）、マルチキャスト制御チャネル（ＭＣＣＨ）、共有アップリンク割当てチャネル（ＳＵＡＣＨ：shared uplink assignment channel）、肯定応答チャネル（ＡＣＫＣＨ：acknowledgement channel）、ダウンリンク物理共有データチャネル（ＤＬ−ＰＳＤＣＨ：downlink physical shared data channel）、アップリンク電力制御チャネル（ＵＰＣＣＨ：uplink power control channel）、ページングインジケータチャネル（ＰＩＣＨ：paging indicator channel）、負荷インジケータチャネル（ＬＩＣＨ：load indicator channel）、物理ブロードキャストチャネル（ＰＢＣＨ：physical broadcast channel）、物理制御フォーマットインジケータチャネル（ＰＣＦＩＣＨ：physical control format indicator channel）、物理ダウンリンク制御チャネル（ＰＤＣＣＨ：physical downlink control channel）、物理ハイブリッドＡＲＱ（自動再送要求）インジケータチャネル（ＰＨＩＣＨ：physical hybrid ARQ indicator channel）、物理ダウンリンク共有チャネル（ＰＤＳＣＨ：physical downlink shared channel）および物理マルチキャストチャネル（ＰＭＣＨ：physical multicast channel）のうちの少なくとも１つを含み得る。アップリンク物理チャネルは、物理ランダムアクセスチャネル（ＰＲＡＣＨ：physical random access channel）、チャネル品質インジケータチャネル（ＣＱＩＣＨ：channel quality indicator channel）、肯定応答チャネル（ＡＣＫＣＨ）、アンテナサブセットインジケータチャネル（ＡＳＩＣＨ：antenna subset indicator channel）、共有要求チャネル（ＳＲＥＱＣＨ：shared request channel）、アップリンク物理共有データチャネル（ＵＬ−ＰＳＤＣＨ：uplink physical shared data channel）、ブロードバンドパイロットチャネル（ＢＰＩＣＨ：broadband pilot channel）、物理アップリンク制御チャネル（ＰＵＣＣＨ：physical uplink control channel）および物理アップリンク共有チャネル（ＰＵＳＣＨ：physical uplink shared channel）のうちの少なくとも１つを含み得る。
【００２６】
図２に、様々な実施形態に適応し得る例示的な通信システムのブロック図を示す。図２に示されたＭＩＭＯ通信システム２００は、ＭＩＭＯ通信システム２００中の送信機システム２１０（たとえば、基地局またはアクセスポイント）と、受信機システム２５０（たとえば、アクセス端末またはユーザ機器）とを備える。図示のように、基地局を送信機システム２１０と呼び、ユーザ機器を受信機システム２５０と呼ぶが、これらのシステムの実施形態は双方向通信が可能であることを当業者は諒解されよう。その点において、「送信機システム２１０」および「受信機システム２５０」という用語は、いずれかのシステムからの単方向通信を暗示するために使用されるべきでない。また、図２の送信機システム２１０および受信機システム２５０は、各々、図２に明示的に示されていない複数の他の受信機および送信機システムと通信することが可能であることに留意されたい。送信機システム２１０において、いくつかのデータストリームのトラフィックデータがデータソース２１２から送信（ＴＸ）データプロセッサ２１４に与えられる。各データストリームは、それぞれの送信機システムを介して送信され得る。ＴＸデータプロセッサ２１４は、各データストリームのトラフィックデータを、そのデータストリーム用に選択された特定のコーディング方式に基づいてフォーマットし、コーディングし、インターリーブして、コード化データを与える。
【００２７】
各データストリームのコード化データは、たとえば、ＯＦＤＭ技法を使用してパイロットデータと多重化され得る。パイロットデータは、典型的には、知られている方法で処理され、チャネル応答を推定するために受信機システムにおいて使用され得る、既知のデータパターンである。各データストリームの多重化されたパイロットデータとコード化データは、次いで、そのデータストリーム用に選択された特定の変調方式（たとえば、ＢＰＳＫ、ＱＳＰＫ、Ｍ−ＰＳＫ、またはＭ−ＱＡＭ）に基づいて変調（シンボルマッピング）されて、変調シンボルを与える。各データストリームのデータレート、コーディングおよび変調は、送信機システム２１０のプロセッサ２３０によって実行される命令によって判断され得る。
【００２８】
図２の例示的なブロック図では、すべてのデータストリームの変調シンボルはＴＸ  ＭＩＭＯプロセッサ２２０に与えられ得、ＴＸ  ＭＩＭＯプロセッサ２２０は、（たとえば、ＯＦＤＭのために）変調シンボルをさらに処理することができる。ＴＸ  ＭＩＭＯプロセッサ２２０は、次いで、ＮT個の変調シンボルストリームをＮT個の送信機システムトランシーバ（ＴＭＴＲ：transmitter system transceiver）２２２ａ〜２２２ｔに与える。一実施形態では、ＴＸ  ＭＩＭＯプロセッサ２２０は、さらに、データストリームのシンボルと、シンボルがそこから送信されているアンテナとにビームフォーミング重みを付与し得る。
【００２９】
各送信機システムトランシーバ２２２ａ〜２２２ｔは、それぞれのシンボルストリームを受信し、処理して、１つまたは複数のアナログ信号を与え、さらに、それらのアナログ信号を調整して、ＭＩＭＯチャネルを介した送信に適した被変調信号を与える。いくつかの実施形態では、調整は、限定はしないが、増幅、フィルタ処理、アップコンバージョンなどの動作を含み得る。送信機システムトランシーバ２２２ａ〜２２２ｔによって生成された被変調信号は、次いで、図２に示された送信機システムアンテナ２２４ａ〜２２４ｔから送信される。
【００３０】
受信機システム２５０において、その送信された被変調信号は受信機システムアンテナ２５２ａ〜２５２ｒによって受信され得、受信機システムアンテナ２５２ａ〜２５２ｒの各々からの受信信号はそれぞれの受信機システムトランシーバ（ＲＣＶＲ：receiver system transceiver）２５４ａ〜２５４ｒに与えられる。各受信機システムトランシーバ２５４ａ〜２５４ｒは、それぞれの受信信号を調整し、調整された信号をデジタル化して、サンプルを与え、さらにそれらのサンプルを処理して、対応する「受信」シンボルストリームを与え得る。いくつかの実施形態では、調整は、限定はしないが、増幅、フィルタ処理、ダウンコンバージョンなどの動作を含み得る。
【００３１】
次いで、ＲＸデータプロセッサ２６０が、受信機システムトランシーバ２５４ａ〜２５４ｒからのシンボルストリームを受信し、特定の受信機処理技法に基づいて処理して、複数の「検出」シンボルストリームを与える。一例では、各検出シンボルストリームは、対応するデータストリームの送信されたシンボルの推定値であるシンボルを含むことができる。ＲＸデータプロセッサ２６０は、次いで、少なくとも部分的に、各検出シンボルストリームを復調し、デインターリーブし、復号して、対応するデータストリームのトラフィックデータを復元する。ＲＸデータプロセッサ２６０による処理は、送信機システム２１０におけるＴＸ  ＭＩＭＯプロセッサ２２０とＴＸデータプロセッサ２１４とによって実行される処理を補足するものであり得る。ＲＸデータプロセッサ２６０は、さらに、処理されたシンボルストリームをデータシンク（図示せず）に与えることができる。
【００３２】
いくつかの実施形態では、チャネル応答推定値がＲＸデータプロセッサ２６０によって生成され、受信機システム２５０において空間／時間処理を実行し、電力レベルを調整し、変調レートまたは方式を変更し、および／または他の適切なアクションを実行するために使用され得る。さらに、ＲＸデータプロセッサ２６０は、さらに、検出シンボルストリームの信号対雑音比（ＳＮＲ）および信号対干渉比（ＳＩＲ）などのチャネル特性を推定することができる。ＲＸデータプロセッサ２６０は、次いで、推定されたチャネル特性をプロセッサ２７０に与えることができる。一例では、受信機システム２５０のＲＸデータプロセッサ２６０および／またはプロセッサ２７０は、さらに、システムの「動作」ＳＮＲの推定値を導出することができる。受信機システム２５０のプロセッサ２７０はまた、通信リンクおよび／または受信データストリームに関する情報を含み得る、チャネル状態情報（ＣＳＩ：channel state information）を与えることができる。たとえば、動作ＳＮＲおよび他のチャネル情報を含み得るこの情報は、たとえば、ユーザ機器スケジューリング、ＭＩＭＯ設定、変調およびコーディング選択などに関する適切な決定を行うために、送信機システム２１０（たとえば、基地局またはｅノードＢ）によって使用され得る。受信機システム２５０において、プロセッサ２７０によって生成されたＣＳＩは、ＴＸデータプロセッサ２３８によって処理され、変調器２８０によって変調され、受信機システムトランシーバ２５４ａ〜２５４ｒによって調整され、送信機システム２１０に返信される。さらに、受信機システム２５０にあるデータソース２３６が、ＴＸデータプロセッサ２３８によって処理されるべき追加のデータを与えることができる。
【００３３】
いくつかの実施形態では、受信機システム２５０にあるプロセッサ２７０はまた、どのプリコーディング行列を使用すべきかを定期的に判断し得る。プロセッサ２７０は、行列インデックス部とランク値部とを備える逆方向リンクメッセージを作成する。逆方向リンクメッセージは、通信リンクおよび／または受信データストリームに関する様々なタイプの情報を備え得る。逆方向リンクメッセージは、次いで、データソース２３６からいくつかのデータストリームのトラフィックデータをも受信し得る、受信機システム２５０にあるＴＸデータプロセッサ２３８によって処理される。処理された情報は、次いで、変調器２８０によって変調され、受信機システムトランシーバ２５４ａ〜２５４ｒのうちの１つまたは複数によって調整され、送信機システム２１０に返信される。
【００３４】
ＭＩＭＯ通信システム２００のいくつかの実施形態では、受信機システム２５０は、空間多重化信号を受信し、処理することが可能である。これらのシステムでは、空間多重化は、送信機システムアンテナ２２４ａ〜２２４ｔ上で異なるデータストリームを多重化し、送信することによって、送信機システム２１０において行われる。これは、複数の送信機システムアンテナ２２４ａ〜２２４ｔから同じデータストリームが送られる送信ダイバーシティ方式の使用とは対照的である。空間多重化信号を受信し、処理することが可能なＭＩＭＯ通信システム２００では、送信機システムアンテナ２２４ａ〜２２４ｔの各々から送信された信号が互いから十分に無相関化されることを保証するために、典型的には、プリコード行列が送信機システム２１０において使用される。この無相関化は、いずれかの特定の受信機システムアンテナ２５２ａ〜２５２ｒに到着したコンポジット信号が受信され得、他の送信機システムアンテナ２２４ａ〜２２４ｔからの他のデータストリームを搬送する信号の存在下で個々のデータストリームが判断され得ることを保証する。
【００３５】
ストリーム間の相互相関の量は環境の影響を受け得るので、受信機システム２５０が、受信信号に関する情報を送信機システム２１０にフィードバックすることが有利である。これらのシステムでは、送信機システム２１０と受信機システム２５０の両方が、いくつかのプリコーディング行列をもつコードブックを含んでいる。これらのプリコーディング行列の各々は、いくつかの例では、受信信号中で受ける相互相関の量に関係し得る。特定の行列中の値ではなく、その行列のインデックスを送ることが有利であるので、受信機システム２５０から送信機システム２１０に送られるフィードバック制御信号は、典型的には、特定のプリコーディング行列のインデックスを含んでいる。いくつかの例では、フィードバック制御信号はまた、空間多重化において何個の独立データストリームを使用すべきかを送信機システム２１０に示すランクインデックスを含む。
【００３６】
ＭＩＭＯ通信システム２００の他の実施形態は、上記で説明した空間多重化方式の代わりに送信ダイバーシティ方式を利用するように構成される。これらの実施形態では、同じデータストリームが送信機システムアンテナ２２４ａ〜２２４ｔ上で送信される。これらの実施形態では、受信機システム２５０に与えられるデータレートは、典型的には、空間多重化ＭＩＭＯ通信システム２００よりも低くなる。これらの実施形態は、通信チャネルのロバストネスおよび信頼性を与える。送信ダイバーシティシステムでは、送信機システムアンテナ２２４ａ〜２２４ｔから送信された信号の各々は、異なる干渉環境（たとえば、フェージング、反射、マルチパス位相シフト）を受けることになる。これらの実施形態では、受信機システムアンテナ２５２ａ〜２５４ｒにおいて受信された異なる信号特性は、適切なデータストリームを判断する際に有用である。これらの実施形態では、ランクインジケータは、典型的には、１に設定され、空間多重化を使用しないように送信機システム２１０に伝える。
【００３７】
他の実施形態は、空間多重化と送信ダイバーシティとの組合せを利用し得る。たとえば、４つの送信機システムアンテナ２２４ａ〜２２４ｔを利用するＭＩＭＯ通信システム２００では、第１のデータストリームが、これらの送信機システムアンテナのうちの２つの上で送信され、第２のデータストリームが、残りの２つの送信機システムアンテナの上で送信され得る。これらの実施形態では、ランクインデックスは、プリコード行列のフルランクよりも小さい整数に設定され、空間多重化と送信ダイバーシティとの組合せを採用することを送信機システム２１０に示す。
【００３８】
送信機システム２１０において、受信機システム２５０からの被変調信号は、送信機システムアンテナ２２４ａ〜２２４ｔによって受信され、送信機システムトランシーバ２２２ａ〜２２２ｔによって調整され、送信機システム復調器２４０によって復調され、ＲＸデータプロセッサ２４２によって処理されて、受信機システム２５０によって送信された逆方向リンクメッセージを抽出する。いくつかの実施形態では、送信機システム２１０のプロセッサ２３０は、次いで、将来の順方向リンク送信にどのプリコーディング行列を使用すべきかを判断し、次いで、抽出されたメッセージを処理する。他の実施形態では、プロセッサ２３０は、将来の順方向リンク送信のためのビームフォーミング重みを調整するために受信信号を使用する。
【００３９】
他の実施形態では、報告されたＣＳＩが、送信機システム２１０のプロセッサ２３０に与えられ、たとえば、１つまたは複数のデータストリームのために使用されるべきデータレートならびにコーディングおよび変調方式を判断するために使用され得る。判断されたコーディングおよび変調方式は、次いで、受信機システム２５０への後の送信における量子化および／または使用のために、送信機システム２１０にある１つまたは複数の送信機システムトランシーバ２２２ａ〜２２２ｔに与えられ得る。追加および／または代替として、報告されたＣＳＩは、ＴＸデータプロセッサ２１４およびＴＸ  ＭＩＭＯプロセッサ２２０のための様々な制御を生成するために送信機システム２１０のプロセッサ２３０によって使用され得る。一例では、送信機システム２１０のＲＸデータプロセッサ２４２によって処理されたＣＳＩおよび／または他の情報は、データシンク（図示せず）に与えられ得る。
【００４０】
いくつかの実施形態では、送信機システム２１０にあるプロセッサ２３０および受信機システム２５０にあるプロセッサ２７０は、それらのそれぞれのシステムにおいて動作を指示し得る。さらに、送信機システム２１０にあるメモリ２３２および受信機システム２５０にあるメモリ２７２は、それぞれ送信機システムプロセッサ２３０および受信機システムプロセッサ２７０によって使用されるプログラムコードおよびデータの記憶を可能にすることができる。さらに、受信機システム２５０において、ＮT個の送信シンボルストリームを検出するためにＮR個の受信信号を処理するために、様々な処理技法が使用され得る。これらの受信機処理技法は、等化技法を含むことができる空間および時空間受信機処理技法、「逐次ヌル化／等化および干渉消去」受信機処理技法、および／または「逐次干渉消去」もしくは「逐次消去」受信機処理技法を含むことができる。
【００４１】
シングルキャリア動作をサポートするＬＴＥ  Ｒｅｌｅａｓｅ８では、アップリンクチャネル（ＰＵＣＣＨ／ＰＵＳＣＨ／ＳＲＳ）上の電力制御は、開ループ制御と閉ループ制御との組合せで管理される。Ｒｅｌ８  ＰＵＳＣＨの場合、サブフレームｉ中での送信は、以下によって定義される。
【数１】
2013529030.tif 000003
【００４２】
上式で、ＰCMAXは、ＵＥの構成可能な最大総送信電力であり、ＭPUSCH（ｉ）は、サブフレーム（ｉ）中の割り振られたＰＵＳＣＨリソースブロックの数に基づく帯域幅ファクタであり、ＰO_PUSCH（ｊ）は、上位レイヤから与えられるセル固有の公称成分と上位レイヤによって与えられるＵＥ固有の成分との合計であり、（ｊ）は、半永続的、動的にスケジュールされたリソース許可、またはランダムアクセス応答許可に対応するＰＵＳＣＨ（再）送信を示すパラメータである。ＰＬは、ＵＥにおいて計算されるダウンリンク経路損失推定値であり、α（ｊ）は、上位レイヤから与えられるスケーリングファクタである。トランスポートフォーマットパラメータΔTF（ｉ）は変調およびコーディング方式に依存する（ΔTF（ｉ）の成分の説明については３ＧＰＰ  ＴＳ３６．２１３ｖ８．８．０§５．１．１．１を参照されたい）。パラメータｆ（ｉ）は、累積電力制御（ＡＰＣ）コマンドであり、ｆ（ｉ）＝ｆ（ｉ−１）＋δPUSCH（ｉ−ＫPUSCH）であり、
δPUSCHは、特定のＵＥに対してはＤＣＩ（ダウンリンク制御インジケータ）フォーマット０をもつ、または複数のＵＥに対してはＤＣＩフォーマット３および３ＡをもつＰＤＣＣＨ中に含まれる送信電力制御（ＴＰＣ）コマンドとも呼ばれる、ＵＥ固有の補正値である。ＫPUSCHは、ＰＤＣＣＨと送信電力の調整とに関連するタイミングオフセットファクタである。ＰＵＳＣＨのためのＴＰＣ電力制御ステップサイズは、ＬＴＥ  Ｒｅｌ８規格によって、−１ｄＢ、０ｄＢ、＋１ｄＢおよび＋３ｄＢの離散値に限定される。
【００４３】
Ｒｅｌ８  ＰＵＣＣＨの場合、サブフレームｉ中での送信は、以下によって定義される。
【数２】
2013529030.tif 000004
【００４４】
上式で、ΔF_PUCCH（Ｆ）は、上位レイヤによって与えられ、各ΔF_PUCCH（Ｆ）値は、ＰＵＣＣＨフォーマット１Ａに対するＰＵＣＣＨフォーマットに対応し、ｈ（ｎ）は、ＰＵＣＣＨフォーマット依存値であり、ｎCQIは、（もしあれば）ＰＵＣＣＨフォーマットにおけるチャネル品質情報に割り振られる情報ビットの数に対応し、ｎHARQは、（もしあれば）ＨＡＲＱ（ハイブリッド自動再送要求）ビットの数である。ＰＵＣＣＨフォーマット１、１ａおよび１ｂの場合、ｈ（ｎCQI，ｎHARQ）＝０である。ＰＵＣＣＨフォーマット２、２ａおよび２ｂ、ならびにノーマルサイクリックプレフィックスの場合、ｎCQI≧４の場合、ｈ（ｎCQI，ｎHARQ）＝１０ｌｏｇ10（ｎCQI／４）であり、他の場合、ｈ（ｎCQI，ｎHARQ）＝０である。ＰＵＣＣＨフォーマット２および拡張サイクリックプレフィックスの場合、ｎCQI＋ｎHARQ≧４の場合、ｈ（ｎCQI，ｎHARQ）＝１０ｌｏｇ10［（ｎCQI＋ｎHARQ）／４］であり、他の場合、ｈ（ｎCQI，ｎHARQ）＝０である。ＰO_PUCCHは、上位レイヤによって与えられるセル固有のパラメータＰO_NOMINAL_PUCCHと、上位レイヤによって与えられるＵＥ固有の成分ＰO_UE_PUCCHとの合計から構成されるパラメータである。
【００４５】
パラメータｇ（ｉ）は、ＰＵＣＣＨのための累積電力制御コマンドであり、
【数３】
2013529030.tif 000005
【００４６】
である。上式で、ｇ（ｉ）は、現在のＰＵＣＣＨ電力制御調整状態であり、δPUCCHは、特定のＵＥに対してはＤＣＩフォーマット１Ａ／１Ｂ／１Ｄ／１／２Ａ／２をもつ、または複数のＵＥに対してはＤＣＩフォーマット３および３ＡをもつＰＤＣＣＨ中に含まれる、（ＰＵＳＣＨのためのδPUCCHに対応する）ＵＥ固有の補正値である。ＰＵＣＣＨのための電力制御ステップサイズも、ＬＴＥ  Ｒｅｌ８規格によって、−１ｄＢ、０ｄＢ、＋１ｄＢおよび＋３ｄＢの離散値に限定される。
【００４７】
Ｒｅｌ８  ＳＲＳ電力制御の場合、サブフレームｉ中での送信は、以下によって定義される。
【数４】
2013529030.tif 000006
【００４８】
上式で、ＰSRS_OFFSETは、ＰＵＳＣＨとＳＲＳとの間の電力オフセットであり、ＭSRSは、サブフレーム（ｉ）中の割り振られたＳＲＳリソースの数に基づく帯域幅ファクタであり、他のパラメータは、上記で定義した通りである。
【００４９】
提案されているＬＴＥ  Ａｄｖａｎｃｅｄ（ＬＴＥ−Ａ）システムでは、ユーザ機器（ＵＥ）は、キャリアアグリゲーション（ＣＡ）環境における動作用に構成され得、ＵＥは、１つまたは複数のサービングセルに関連する複数のコンポーネントキャリア上で送信および受信し得る（本明細書では、ダウンリンクコンポーネントキャリアとアップリンクコンポーネントキャリアとのペアリングを「セル」と呼ぶことがある）。１つのアップリンクコンポーネントキャリアは、ＬＴＥ−Ａシステム（たとえば、レイヤ２またはレイヤ３）における上位レイヤによって１次コンポーネントキャリア（ＰＣＣ）として（たとえば、半静的に）構成され得る。すべての他のコンポーネントキャリアは２次コンポーネントキャリア（ＳＣＣ）として構成される。
【００５０】
所与のＵＥのためのＰＵＣＣＨはＰＣＣ上で搬送される。ＰＣＣは、ＰＵＣＣＨおよび各サブフレーム中のアップリンク制御情報（ＵＣＩ）をもつまたはもたない１つまたは複数のＰＵＳＣＨチャネル、ならびに１つのサウンディング基準信号（ＳＲＳ）チャネルを搬送し得る。２次コンポーネントキャリアの各々は、各サブフレーム中のＵＣＩをもつまたはもたない１つまたは複数のＰＵＳＣＨチャネル、ならびに１つのＳＲＳチャネルを搬送し得る。アップリンク制御情報は、ハイブリッド自動再送要求ビット（ＨＡＲＱＡＣＫ／ＮＡＫビット）と、チャネル品質情報（ＣＱＩ）ビットと、ＰＵＳＣＨ送信のためのアップリンクリソース許可を要求するためのスケジューリング要求（ＳＲ）ビットとを含み得る。
【００５１】
図３は、キャリアアグリゲーションを用いたワイヤレス通信システム３００を示すブロック図である。システム３００では、ユーザ機器（ＵＥ）３０１は、複数のコンポーネントキャリアを用いて動作するように構成される。ＵＥ３０１は、それぞれサービングセル３０２−１からダウンリンクコンポーネントキャリアＣＣ１ａを受信し、サービングセル３０２−２〜３０２−ｎからダウンリンクコンポーネントキャリアＣＣ２ａ〜ＣＣｎａを受信し得る。同様に、ＵＥ３０１は、それぞれアップリンクコンポーネントキャリアＣＣ１ｂ〜ＣＣｎｂをサービングセル３０２−１〜３０２−ｎに送信し得る。一実施形態では、アップリンクおよびダウンリンクコンポーネントキャリアのすべては単一のサービングセルによって受信および送信され得る。
【００５２】
一実施形態では、ＵＥ３０１などのユーザ機器は、少なくとも１つのアップリンクチャネルのための少なくとも１つのダウンリンク制御チャネル（たとえば、物理ダウンリンク制御チャネル−ＰＤＣＣＨ）からの送信電力制御コマンドを復号し得、上記少なくとも１つのアップリンクチャネルは、複数のコンポーネントキャリアのうちの１つのコンポーネントキャリア中で送信されるべきである。ＵＥは、上記少なくとも１つのアップリンクチャネルのための指令送信電力（たとえば、送信電力コマンドに基づく電力レベル）を上記コンポーネントキャリアの構成された最大送信電力と比較し得る。たとえば、上記コンポーネントキャリアの構成された最大送信電力は、コンポーネントキャリア固有の送信電力限界であり得るか、またはＵＥの最大送信電力によって課せられた限界であり得る。ＵＥは、次いで、比較に基づいて、上記コンポーネントキャリア中で少なくとも１つのアップリンクチャネルを送信し得る。
【００５３】
一態様では、アップリンクコンポーネントキャリアは、１つの１次コンポーネントキャリア（ＰＣＣ）と少なくとも１つの２次コンポーネントキャリア（ＳＣＣ）とを備え得る。
【００５４】
一態様では、ＵＥは、上記コンポーネントキャリアの指令アップリンク送信電力がＵＥの構成された最大送信電力を超えた場合、所定の送信優先度に基づいて上記コンポーネントキャリアに電力を割り振るように構成され得る。一実施形態では、優先度はアップリンクチャネルタイプに基づき得る。たとえば、ＰＣＣ上の物理アップリンク制御チャネル（ＰＵＣＣＨ）が最高優先度を受信し得、いずれかのコンポーネントキャリア上のアップリンク制御情報（ＵＣＩ）（ＰＵＳＣＨ＋ＵＣＩ）をもつ物理アップリンク共有データチャネル（ＰＵＳＣＨ）が第２の優先度を受信し得、いずれかのコンポーネントキャリア上のＰＵＳＣＨが第３の優先度を受信し得る。したがって、すべてのＣＣ上のｉ番目のサブフレーム中の総指令送信電力がＵＥの最大送信電力（たとえば、＋２３ｄＢｍ）を超えたとき、ＵＥは、
【数５】
2013529030.tif 000007
【００５５】
となるように、（たとえば、線形単位の）ｉ番目のサブフレーム中の総ＰＵＳＣＨ送信電力をスケーリングし得る。上式で、ｗcは、コンポーネントキャリアｃ上のＰＵＳＣＨの均一なまたは重み付けされたスケーリングファクタである。
【００５６】
ＬＴＥ  Ａｄｖａｎｃｅｄでは、コンポーネントキャリア上のＰＵＳＣＨ送信は、データのないチャネル品質情報（ＣＱＩ）、またはＨＡＲＱビット、スケジューリング要求（ＳＲ）、プリコーディング行列インジケータ（ＰＭＩ）およびランクインジケータ（ＲＩ）などの制御情報を含むように構成され得る。コンポーネントキャリア上のＰＵＳＣＨ送信がＣＱＩのみである場合には、ＰＵＳＣＨは、ＵＣＩをもつＰＵＳＣＨとして扱われ得、ＵＣＩをもたないＰＵＳＣＨよりも優先され得る。
【００５７】
個々のアップリンクコンポーネントキャリアは、コンポーネントキャリア上の最大送信電力がｍｉｎ｛ＰUE_MAX，ＰCMAX,c｝として表され得るように、ＵＥの最大（実際のまたは構成された）送信電力までの構成された最大送信電力を有し得る。上式で、ＰUE_MAXは、ＵＥの最大送信電力であり、ＰCMAX,cは、コンポーネントキャリアの構成された最大送信電力である。
【００５８】
一実施形態では、ＵＥがＰＣＣ上で物理アップリンク制御チャネル（ＰＵＣＣＨ）を送信するように構成され、ＰＵＣＣＨの指令送信電力レベルがＵＥの最大電力レベルよりも小さい場合、ＵＥは、ＵＥの最大電力レベルとＰＵＣＣＨの指令送信電力レベルとの間の差に等しい総電力を、上記コンポーネントキャリアのすべての上で（ＵＣＩをもつおよび／またはもたない）ＰＵＳＣＨに割り振るように構成され得る。
【００５９】
一実施形態では、ＰＵＳＣＨ間の割振りは、均一な電力割振りであり得る。たとえば、ＵＥが４つのコンポーネントキャリア（すなわち、１つのＰＣＣおよび３つのＳＣＣ）で構成され、ＰＣＣ（ＰPCC_MAX）の最大電力とＵＥ（ＰUE_MAX）の最大電力との間の電力ヘッドルームが３ｄＢである場合、３ｄＢ電力ヘッドルームは、ある程度の追加の電力が３つのＳＣＣ上でＰＵＳＣＨに割り振られることを可能にする。
【００６０】
別の実施形態では、ＰＵＳＣＨの指令電力変化の合計がＵＥの最大電力とＰＵＣＣＨの指令送信電力レベルとの間の差以下である場合、ＵＥの最大電力とＰＵＣＣＨの指令送信電力レベルとの間の差は、ＰＵＳＣＨの指令電力変化に応じてコンポーネントキャリア上のＰＵＳＣＨの間で分配され得る。たとえば、上記で定義されたヘッドルームが同じ３ｄＢであり、３つのＳＣＣの指令電力変化がそれぞれ＋２ｄＢ、−１ｄＢおよび＋２ｄＢである場合、総増加は３ｄＢ以下であるので、指令電力変化に対処することができる。
【００６１】
コンポーネントキャリア上のＰＵＳＣＨの指令電力変化の合計がＵＥの最大電力とＰＵＣＣＨの指令送信電力レベルとの間の差よりも大きい場合、ＵＥは、コンポーネントキャリア上のＰＵＳＣＨの指令電力変化に比例して複数のコンポーネントキャリア間の電力差をスケーリングするように構成され得る。
【００６２】
ＰＵＳＣＨへの電力の割振りは、各コンポーネントキャリア上のＰＵＳＣＨがアップリンク制御情報を含むか否かに従ってさらに優先度を付けられ得る。他の割振り決定は、たとえば、ＵＥにおけるチャネル状態および干渉レベルに基づいて、ＵＥによって実装され得ることを諒解されよう。
【００６３】
コンポーネントキャリアｃ上のＰＵＳＣＨの送信電力は、次のように表され得る。
【数６】
2013529030.tif 000008
【００６４】
ただし、上式の右辺の項は、上記で説明したシングルキャリアの場合に対応するＣＣ固有のパラメータである。
【００６５】
一実施形態では、コンポーネントキャリアｃ上のＰＵＳＣＨの送信電力がサブフレームｉ中のコンポーネントキャリアｃの構成された最大送信電力ＰCMAX,c（ｉ）に達したとき、ＡＰＣパラメータｆc（ｉ）は、さらなる電力増加を防ぐためにフリーズされ得る。
【００６６】
一実施形態では、ＵＥの送信電力が構成された最大送信電力（ＰUE_MAX）に達したとき、ＡＰＣパラメータｆc（ｉ）は、さらなる電力増加を防ぐためにフリーズされ得る。
【００６７】
一実施形態では、１つまたは複数のコンポーネントキャリアがその構成された最大送信電力に達したとき、ＵＥ（ＰUE_MAX）の最大送信電力とフリーズされたＰＵＳＣＨのすべての総送信電力との間の残りの電力ヘッドルームは、上記で説明した方法のいずれかに従って他のコンポーネントキャリア上の他のＰＵＳＣＨの間で割り振られ得る。
【００６８】
ＰＵＳＣＨ送信電力を計算するために使用される同じＡＰＣパラメータはまた、次式に従って同じコンポーネントキャリア上のＳＲＳ電力制御のために使用され得ることを諒解されよう。
【数７】
2013529030.tif 000009
【００６９】
ＡＰＣパラメータｆc（ｉ）が１つまたは複数のコンポーネントキャリアｃ上のＰＵＳＣＨの増加を防ぐためにフリーズされた場合、対応するＳＲＳの送信電力レベルは、ＳＲＳオフセットパラメータＰSRS_OFFSETにより低電力レベルでフリーズされ得る。一実施形態では、１つまたは複数のコンポーネントキャリアの送信電力レベルがフリーズされた場合、ＵＥは、ＳＲＳ電力レベルを増加させるために、対応するコンポーネントキャリアのＳＲＳオフセットパラメータＰSRS_OFFSETを調整するように構成され得る。
【００７０】
一実施形態では、ＰＵＳＣＨ  ＡＰＣパラメータがすべてのコンポーネントキャリア上でフリーズされ、ＳＲＳをもつコンポーネントキャリアの数がコンポーネントキャリアの総数よりも少ない場合、オフセットの調整は、フリーズされたＰＵＳＣＨをもつＣＣの数（ＮPUSCH）とＳＲＳをもつＣＣの数（ＮSRS）との間の関数関係に基づき得る。一例として、ＮPUSCHとＮSRSとの比が２であるとき、オフセットは３ｄＢだけ増加され得る。
【００７１】
ＰＵＣＣＨの場合、１次コンポーネントキャリアのためのＡＰＣコマンドｇ（ｉ）は、ＰＵＣＣＨフォーマットと、ＣＱＩ、ＨＡＲＱ、およびＳＲビットの数とによって駆動される。一実施形態では、ｇ（ｉ）は、ＰＣＣの送信電力がＵＥの最大電力に達したときにフリーズされ得る。別の実施形態では、ｇ（ｉ）は、ＰＣＣの送信電力がＰＣＣについての指定された最大電力に達したときにフリーズされ得る。
【００７２】
ＵＥがサブフレーム中の同じアップリンクチャネルのための１つまたは複数のＰＤＣＣＨ上で２つ以上のダウンリンク制御情報（ＤＣＩ）フォーマットからの電力制御コマンドを受信し得ることが可能である。一例として、複数の電力制御コマンドは、同じサブフレーム中の異なるコンポーネントキャリアから来得る。一実施形態では、ＤＣＩフォーマット０からのコマンドは、ＬＴＥ  Ｒｅｌ８において指定されているようにＤＣＩフォーマット３／３Ａからのコマンドよりも優先させられ得る。
【００７３】
一実施形態では、ＵＥがサブフレーム中の同じアップリンクチャネルのための２つ以上のダウンリンク制御情報（ＤＣＩ）フォーマットからの電力制御コマンドを復号した場合、ＵＥは、電力制御コマンドを平均し、平均によってサブフレーム中のアップリンクチャネルを調整するように構成され得る。
【００７４】
別の態様では、ＵＥがサブフレーム中の同じアップリンクチャネルのための２つ以上のＤＣＩフォーマットからの電力制御コマンドを復号した場合、ＵＥは、２つ以上のＤＣＩフォーマットのための電源投入コマンドおよび電源切断コマンドのすべてを合計し、合計によってサブフレーム中のアップリンクチャネルを調整するように構成され得る。
【００７５】
別の態様では、ＵＥが２つ以上のＤＣＩフォーマットからの電力制御コマンドを復号した場合、ＵＥは、コンポーネントキャリアタイプとコマンドタイプとに従ってコマンドを優先させるように構成され得る。たとえば、優先度付けの順序は、ある所定の順序で、ＰＣＣからのＤＣＩ、次いでＳＣＣからのＤＣＩ、次いで、ある所定の順序で、ＰＣＣ上のフォーマット３／３Ａコマンド、その後、ＳＣＣからのフォーマット３／３Ａコマンドであり得る。
【００７６】
一実施形態では、ＵＥは、ただ１つのダウンリンクコンポーネントキャリア（たとえば、ＰＣＣ）中で電力制御フィールドからのコンポーネントキャリアのすべてのための電力制御情報を復号するように構成され得、ＵＥは（サービングセルと協働して）、他の目的（たとえば、ＡＣＫ／ＮＡＫまたはＣＲＣ）のために、通常ならば電力制御に割り振られるであろう、ＤＣＩからの制御ビットを他のダウンリンクコンポーネントキャリア中で使用するように構成され得る。
【００７７】
ワイヤレス通信システムにおけるキャリアアグリゲーションの別の態様では、１つのサービングセル（たとえば、ｅノードＢ）または複数のサービングセルは、少なくとも１つのアップリンクチャネルのための少なくとも１つのダウンリンク制御チャネル上で電力制御コマンドを送信するように構成され得、上記少なくとも１つのアップリンクチャネルは、複数のコンポーネントキャリアのうちの１つのコンポーネントキャリア中で受信されるべきであり、上記少なくとも１つのアップリンクチャネルのための指令送信電力は、ユーザ機器によって上記コンポーネントキャリアの構成された最大送信電力と比較され得、サービングセルは、次いで、上記コンポーネントキャリア中で上記少なくとも１つのアップリンクチャネルを受信し得る。
【００７８】
図４は、ユーザ機器における例示的な方法を示すフローチャート４００である。本方法は動作４０１において開始し、ＵＥは、少なくとも１つのアップリンクチャネルのための少なくとも１つのダウンリンク制御チャネルからの送信電力制御コマンドを復号し、上記少なくとも１つのアップリンクチャネルは、複数のコンポーネントキャリアのうちの１つのコンポーネントキャリア中で送信されるべきである。本方法は動作４０２に続き、ＵＥは、上記少なくとも１つのアップリンクチャネルのための指令送信電力を上記コンポーネントキャリアの構成された最大送信電力と比較する。本方法は動作４０３において終わり、ＵＥは、上記コンポーネントキャリア中で上記少なくとも１つのアップリンクチャネルを送信する。
【００７９】
図５は、本明細書で説明する様々な動作および実施形態をサポートすることが可能なユーザ機器５００を示す機能ブロック図である。ユーザ機器５００は、少なくとも１つのアップリンクチャネルのための少なくとも１つのダウンリンク制御チャネルからの送信電力制御コマンドを復号するためのモジュール５０１を含み、上記少なくとも１つのアップリンクチャネルは、複数のコンポーネントキャリアのうちの１つのコンポーネントキャリア中で送信されるべきである。ユーザ機器５００はまた、上記少なくとも１つのアップリンクチャネルのための指令送信電力を上記コンポーネントキャリアの構成された最大送信電力と比較するためのモジュール５０２を含む。ユーザ機器５００はまた、上記コンポーネントキャリア中で上記少なくとも１つのアップリンクチャネルを送信するためのモジュール５０３を含む。
【００８０】
図６に、様々な開示する実施形態が実装され得る通信装置６００を示す。特に、図６に示された装置６００は、図３に示されたサービングセル３０２などのサービングセルの少なくとも一部分および／または図３に示されたＵＥ３０１などのユーザ機器の少なくとも一部分および／または図２に示された送信機システム２１０および受信機システム２５０などの送信機システムまたは受信機システムの少なくとも一部分を備え得る。図６に示された装置６００は、ワイヤレスネットワーク内に常駐し、たとえば、１つまたは複数の受信機および／または適切な受信および復号回路（たとえば、アンテナ、トランシーバ、復調器など）を介して着信データを受信することができる。図６に示された装置６００はまた、たとえば、１つまたは複数の送信機および／または適切な符号化および送信回路（たとえば、アンテナ、トランシーバ、変調器など）を介して発信データを送信することができる。追加または代替として、図６に示された装置６００は、ワイヤードネットワーク内に常駐し得る。
【００８１】
さらに、図６に、装置６００が、信号調整、分析など、１つまたは複数の動作を実行するための命令を保持することができるメモリ６０２を含むことができることを示す。さらに、図６の装置６００は、メモリ６０２に記憶された命令および／または別のデバイスから受信した命令を実行することができるプロセッサ６０４を含み得る。命令は、たとえば、装置６００または関係する通信装置を構成するまたは動作させることに関係することができる。図６に示されたメモリ６０２は単一のブロックとして示されているが、別個の物理および／または論理ユニットを構成する２つ以上の別個のメモリを備え得ることに留意されたい。さらに、メモリは、プロセッサ６０４に通信可能に結合されているものとして示されているが、完全にまたは部分的に、図６に示された装置６００の外部に常駐し得る。メモリ６０２はまた、完全にまたは部分的に、プロセッサ６０４の内部に常駐し得る。また、図３に示されたサービングセル３０２など、１つまたは複数の構成要素がメモリ６０２などのメモリ内に存在することができることを理解されたい。
【００８２】
開示する実施形態に関して説明したメモリは、揮発性メモリもしくは不揮発性メモリのいずれかであり得、または揮発性メモリと不揮発性メモリの両方を含むことができることを諒解されよう。限定ではなく、例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態において利用可能である。
【００８３】
また、図６の装置６００は、ユーザ機器またはモバイルデバイスとして採用され得、たとえば、ＳＤカード、ネットワークカード、ワイヤレスネットワークカード、（ラップトップ、デスクトップ、携帯情報端末（ＰＤＡ）を含む）コンピュータ、モバイルフォン、スマートフォン、またはネットワークにアクセスするために利用され得る任意の他の好適な端末などのモジュールであり得ることに留意されたい。ユーザ機器は、アクセス構成要素（図示せず）を介してネットワークにアクセスし得る。一例では、ユーザ機器とアクセス構成要素との間の接続は本質的にワイヤレスであり得、アクセス構成要素は基地局であり得、ユーザ機器はワイヤレス端末である。たとえば、端末および基地局は、限定はしないが、時間分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、または任意の他の好適なプロトコルを含む、任意の好適なワイヤレスプロトコルを介して通信し得る。
【００８４】
アクセス構成要素は、ワイヤードネットワークまたはワイヤレスネットワークに関連するアクセスノードであり得る。そのために、アクセス構成要素は、たとえば、ルータ、スイッチなどであり得る。アクセス構成要素は、他のネットワークノードと通信するための１つまたは複数のインターフェース、たとえば、通信モジュールを含むことができる。さらに、アクセス構成要素はセルラータイプのネットワーク中の基地局（またはワイヤレスアクセスポイント）であり得、基地局（またはワイヤレスアクセスポイント）は複数の加入者にワイヤレスカバレージエリアを与えるために利用される。そのような基地局（またはワイヤレスアクセスポイント）は、１つまたは複数のセルラー電話および／または他のワイヤレス端末に連続するカバレージエリアを与えるように構成され得る。
【００８５】
本明細書で説明する実施形態および特徴は、ハードウェア、ソフトウェア、ファームウェア、またはそれらの任意の組合せによって実装され得ることを理解されたい。本明細書で説明する様々な実施形態は、ネットワーク化された環境においてコンピュータによって実行される、プログラムコードなどのコンピュータ実行可能命令を含むコンピュータ可読媒体において実施されるコンピュータプログラム製品によって一実施形態では実装され得る、方法またはプロセスの概略的なコンテキストで説明する。上記のように、メモリおよび／またはコンピュータ可読媒体は、限定はしないが、読取り専用メモリ（ＲＯＭ）、ランダムアクセスメモリ（ＲＡＭ）、コンパクトディスク（ＣＤ）、デジタル多用途ディスク（ＤＶＤ）などを含む、取外し可能および取外し不可能なストレージデバイスを含み得る。ソフトウェアで実装されたとき、機能は、１つまたは複数の命令またはコードとしてコンピュータ可読媒体に記憶されるか、あるいはコンピュータ可読媒体を介して送信され得る。コンピュータ可読媒体は、ある位置から別の位置へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。
【００８６】
また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）などのワイヤレス技術を使用して、ウェブサイト、サーバ、または他のリモートソースから送信される場合、同軸ケーブル、光ファイバケーブル、ツイストペア、またはＤＳＬなどのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００８７】
概して、プログラムモジュールは、特定のタスクを実行するか、または特定の抽象データ型を実装する、ルーチン、プログラム、オブジェクト、構成要素、データ構造などを含み得る。コンピュータ実行可能命令、関連するデータ構造およびプログラムモジュールは、本明細書で開示する方法のステップを実行するためのプログラムコードの例を表す。そのような実行可能命令または関連するデータ構造の特定のシーケンスは、そのようなステップまたはプロセスで説明する機能を実装するための対応する行為の例を表す。
【００８８】
本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。
【００８９】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部および／またはプロセッサの外部に実装され得、その場合、当技術分野で知られているように様々な手段を介してプロセッサに通信可能に結合され得る。さらに、少なくとも１つのプロセッサは、本明細書で説明した機能を実行するように動作可能な１つまたは複数のモジュールを含み得る。
【００９０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、ユーザ機器ツーユーザ機器）アドホックネットワークシステムをさらに含み得る。
【００９１】
シングルキャリア変調および周波数領域等化を利用するシングルキャリア周波数分割多元接続（ＳＣ−ＦＤＭＡ）は、開示する実施形態とともに利用され得る技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、それの固有のシングルキャリア構造のためにより低いピーク対平均電力比（ＰＡＰＲ：peak-to-average power ratio）を有する。ＳＣ−ＦＤＭＡは、より低いＰＡＰＲが送信電力効率の点でユーザ機器に利益を与えることができるアップリンク通信において利用され得る。
【００９２】
さらに、本明細書で説明する様々な態様または特徴は、標準のプログラミングおよび／またはエンジニアリング技法を使用した方法、装置または製造品として実装され得る。本明細書で使用する「製造品」という用語は、任意のコンピュータ可読デバイス、キャリア、または媒体からアクセス可能なコンピュータプログラムを含むものとする。たとえば、コンピュータ可読媒体は、磁気ストレージデバイス（たとえば、ハードディスク、フロッピーディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、コンピュータ可読媒体など、（１つまたは複数の）命令および／またはデータを記憶、含有、および／または搬送することが可能な媒体を含むことができるが、これらに限定されない。さらに、コンピュータプログラム製品は、本明細書で説明した機能をコンピュータに実行させるように動作可能な１つまたは複数の命令またはコードを有するコンピュータ可読媒体を含み得る。
【００９３】
さらに、本明細書で開示する態様に関して説明する方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの実施形態では、プロセッサおよび記憶媒体はＡＳＩＣ中に常駐し得る。さらに、ＡＳＩＣはユーザ機器中に常駐し得る。代替として、プロセッサおよび記憶媒体はユーザ機器中の個別構成要素として常駐し得る。さらに、いくつかの実施形態では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００９４】
上記の開示は、例示的な実施形態について論じたが、添付の特許請求の範囲によって定義された記載の実施形態の範囲から逸脱することなく、様々な変更および修正を本明細書で行うことができることに留意されたい。したがって、説明した実施形態は、添付の特許請求の範囲内に入るすべてのそのような改変、修正および変形形態を包含するものとする。さらに、説明した実施形態の要素は、単数形で説明または請求されていることがあるが、単数形への限定が明示的に述べられていない限り、複数形が企図される。さらに、任意の実施形態の全部または一部は、別段に記載されていない限り、任意の他の実施形態の全部または一部とともに利用され得る。
【００９５】
「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。さらに、発明を実施するための形態または特許請求の範囲のいずれかで使用される「または」という用語は、排他的な「または」でなく包括的な「または」を意味するものとする。すなわち、別段に規定されていない限り、または文脈から明らかでない限り、「ＸはＡまたはＢを使用する」という句は、自然包括的並べ替えのいずれかを意味するものとする。すなわち、「ＸはＡまたはＢを使用する」という句は、ＸがＡを使用する場合、ＸがＢを使用する場合、またはＸがＡとＢの両方を使用する場合のいずれかによって満たされる。さらに、本出願および添付の特許請求の範囲で使用する冠詞「ａ」および「ａｎ」は、別段に規定されていない限り、または単数形を示すことが文脈から明らかでない限り、概して「１つまたは複数」を意味するものと解釈すべきである。
【図１】
2013529030.tif 000010
【図２】
2013529030.tif 000011
【図３】
2013529030.tif 000012
【図４】
2013529030.tif 000013
【図５】
2013529030.tif 000014
【図６】
2013529030.tif 000015
【国際調査報告】
2013529030.tif 000016
2013529030.tif 000017